【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
サラウンドオーディオミックスを作成するための自動ミキサ（３００、５００）を備えたシステムであって、前記自動ミキサ（３００、５００）は、
複数のステムに関連するメタデータに少なくとも部分的に基づいて、一連のルールのサブセットを選択するためのルールエンジン（３４０）と、
前記選択されたルールのサブセットに従って、前記複数のステムをミキシングして３又はそれ以上の出力チャネルを提供するミキシングマトリクス（３２０）と、
を含む、
ことを特徴とするシステム。
【請求項２】
前記出力チャネルの各々を再生するそれぞれのスピーカを含む多チャネルオーディオシステム（７００）をさらに備える、
請求項１に記載のシステム。
【請求項３】
前記一連のルールからの各ルールは、１又はそれ以上の条件と、前記ルールの前記条件が満たされた場合に行うべき１又はそれ以上の動作とを含む、
請求項１に記載のシステム。
【請求項４】
前記ルールエンジン（３４０）は、前記メタデータによって満たされた条件を有するルールを選択するように構成される、
請求項３に記載のシステム。
【請求項５】
前記ルールエンジン（３４０）は、サラウンドオーディオシステムコンフィギュレーションを示すデータを受け取るように構成されるとともに、前記メタデータ及び前記サラウンドオーディオシステムコンフィギュレーションによって満たされた条件を有するルールを選択するように構成される、
請求項３に記載のシステム。
【請求項６】
前記一連のルールからの各ルールに含まれる前記１又はそれ以上の動作は、前記ミキシングマトリクスのための１又はそれ以上のミキシングパラメータを設定することを含む、請求項３に記載のシステム。
【請求項７】
前記選択されたルールのサブセットに従って前記ステムの少なくとも１つを処理するステムプロセッサ（３１０−１）をさらに備える、
請求項６に記載のシステム。
【請求項８】
前記一連のルールからの各ルールに含まれる前記１又はそれ以上の動作は、前記ステムプロセッサのための１又はそれ以上のエフェクトパラメータを設定することを含む、
請求項７に記載のシステム。
【請求項９】
前記ステムプロセッサ（３１０−１）は、前記１又はそれ以上のエフェクトパラメータに従って、増幅、減衰、ローパスフィルタリング、ハイパスフィルタリング、グラフィックイコライゼーション、制限、圧縮、位相シフト、ノイズ、ハム及びフィードバックの抑制、残響、ディエッシング及びコーラシングのうちの１つ又はそれ以上を実行する、
請求項８に記載のシステム。
【請求項１０】
前記選択されたルールのサブセットに含まれる前記動作は、前記複数のステムの各々のそれぞれの音声について仮想ステージ上のそれぞれの音声位置を集合的に定める、
請求項３に記載のシステム。
【請求項１１】
前記仮想ステージ上の前記音声位置を前記ミキシングマトリクスのためのミキシングパラメータに変換する座標プロセッサ（５５０）をさらに備える、
請求項１０に記載のシステム。
【請求項１２】
前記座標プロセッサ（５５０）は、前記仮想ステージに対するリスナー位置を示すデータを受け取るように構成されるとともに、前記リスナー位置に部分的に基づいて、前記音声位置を前記ミキシングパラメータに変換するように構成される、
請求項１１に記載のシステム。
【請求項１３】
前記座標プロセッサ（５５０）は、相対的スピーカ位置を示すデータを受け取るように構成されるとともに、前記相対的スピーカ位置に部分的に基づいて、前記音声位置を前記ミキシングパラメータに変換するように構成される、
請求項１１に記載のシステム。
【請求項１４】
前記メタデータは、前記複数のステムに関連するジャンルと、前記ステムの各々に関連するそれぞれの音声とを含む、
請求項１に記載のシステム。
【請求項１５】
サラウンドオーディオミックスを自動的に作成する方法（８４０、９４０）であって、  複数のステムに関連するメタデータに少なくとも部分的に基づいて、一連のルールのサブセットを選択するステップ（８５０）と、
前記選択されたルールのサブセットに従って、前記複数のステムをミキシングして３又はそれ以上の出力チャネルを提供するステップ（８７０）と、
を含むことを特徴とする方法（８４０、９４０）。
【請求項１６】
前記出力チャネルの各々のためのそれぞれのスピーカを含む多チャネルオーディオシステムを用いて、前記出力チャネルの各々を可聴音に変換するステップをさらに含む、
請求項１５に記載の方法（８４０、９４０）。
【請求項１７】
前記一連のルールからの各ルールは、１又はそれ以上の条件と、前記ルールの前記条件が満たされた場合に行うべき１又はそれ以上の動作とを含む、
請求項１５に記載の方法（８４０、９４０）。
【請求項１８】
前記一連のルールのサブセットを選択するステップは、前記メタデータによって満たされた条件を有するルールを選択するステップを含む、
請求項１７に記載の方法（８４０、９４０）。
【請求項１９】
サラウンドオーディオシステムコンフィギュレーションを示すデータを受け取るステップをさらに含み、前記一連のルールのサブセットを選択するステップは、前記メタデータ及び前記サラウンドオーディオシステムコンフィギュレーションによって満たされた条件を有するルールを選択するステップを含む、
請求項１７に記載の方法（８４０、９４０）。
【請求項２０】
前記一連のルールからの各ルールに含まれる前記１又はそれ以上の動作は、前記ミキシングマトリクスのための１又はそれ以上のミキシングパラメータを設定することを含む、請求項１７に記載の方法（８４０、９４０）。
【請求項２１】
前記選択されたルールのサブセットに従って前記ステムの少なくとも１つを処理するステップ（８６５）をさらに含む、
請求項２０に記載の方法（８４０、９４０）。
【請求項２２】
前記一連のルールからの各ルールに含まれる前記１又はそれ以上の動作は、前記ステムの少なくとも１つを処理するための１又はそれ以上のエフェクトパラメータを設定することを含む、
請求項１７に記載の方法（８４０、９４０）。
【請求項２３】
前記ステムの少なくとも１つを処理するステップは、前記１又はそれ以上のエフェクトパラメータに従って、増幅、減衰、ローパスフィルタリング、ハイパスフィルタリング、グラフィックイコライゼーション、制限、圧縮、位相シフト、ノイズ、ハム及びフィードバックの抑制、残響、ディエッシング及びコーラシングのうちの１つ又はそれ以上を行うステップを含む、
ことを特徴とする請求項２２に記載の方法（８４０、９４０）。
【請求項２４】
前記選択されたルールのサブセットに含まれる前記動作は、前記複数のステムの各々のそれぞれの音声について仮想ステージ上のそれぞれの音声位置を集合的に定める、
請求項１７に記載の方法（８４０、９４０）。
【請求項２５】
前記仮想ステージ上の前記音声位置を前記ミキシングマトリクスのためのミキシングパラメータに変換するステップ（９８０）をさらに含む、
請求項２４に記載の方法（９４０）。
【請求項２６】
前記仮想ステージに対するリスナー位置を示すデータを受け取るステップ（９７５）をさらに含み、前記仮想ステージ上の前記音声位置をミキシングパラメータに変換するステップ（９８０）は、前記リスナー位置に部分的に基づく、
請求項２５に記載の方法（９４０）。
【請求項２７】
相対的なスピーカ位置を示すデータを受け取るステップをさらに含み、前記仮想ステージ上の前記音声位置をミキシングパラメータに変換するステップは、前記スピーカ位置に部分的に基づく、
請求項２５に記載の方法。
【請求項２８】
前記メタデータは、前記複数のステムに関連するジャンルと、前記ステムの各々に関連するそれぞれの音声とを含む、
請求項１５に記載の方法（８４０、９４０）。
【手続補正２】
【補正対象書類名】明細書
【補正対象項目名】００３２
【補正方法】変更
【補正の内容】
【００３２】
ステムに適当なメタデータを提供できない時には、各ステムの内容分析を通じて、各ステムの音声及び楽曲のジャンルを含むメタデータを作成することができる。例えば、各ステムのスペクトル成分を分析して、ステムにどのような音声が含まれているかを推定することができ、ステムのリズム成分をステム内に存在する音声と組み合わせることによって楽曲ジャンルを推定することもできる。
【手続補正３】
【補正対象書類名】明細書
【補正対象項目名】００４８
【補正方法】変更
【補正の内容】
【００４８】
ステムをミキシングするための一連のルールは、リスナーからステムの音源への見かけ角度の観点から表すことができる。以下の例示的な一連のルールは、様々なジャンルの楽曲の心地良いサラウンドミックスをもたらすことができる。ルールについてはイタリック体で記載する。
・ドラムを±３０°に配置し、残響ドラム成分を±１１０°に配置する。ドラムは、ほとんどの種類のポピュラー音楽の「骨格」と見なされる。通常、ステレオミックスでは、ドラムが左スピーカと右スピーカの間に均等に配置される。５．１サラウンド表現では、リスナーを取り囲む部屋の中にドラムが存在するという錯覚を与えるオプションが存在する。従って、ドラムステムを前方左チャネルと前方右チャネルの間で分割し、ドラムステムを反響させ減衰させて左後方及び右後方スピーカ（±１１０°）に送ることにより、ドラムがリスナーの「正面」に存在し、リスナーの背後に「仮想ルーム」の反響が存在するという印象をリスナーに与えることができる。
・ベースを−３ｄｂで０°に配置し、Ｌ／Ｒへの寄与を＋１．５ｄｂにする。通常、ステレオミックスでは、ベースギターは、ドラムのように「疑似センター」に存在する（左チャネルと右チャネルの間で均等に分割される）。５．１ミックスでは、以下の方法でベースステムを左スピーカ、右スピーカ及びセンタースピーカに広げることができる。ベースステムをセンターチャネルに配置し、レベルを−３ｄｂだけ下げた後に、前方左及び前方右スピーカに均等に−１．５ｄｂを加える。
・リズムギターを−６０°に配置する。図７をよく見ると、−６０°にはスピーカが存在しないことが分かる。リズムギターステムは、−６０°の疑似音源をシミュレートするように、左前方スピーカＬと左後方スピーカＬＲの間で分割することができる。
・キーボードを＋６０°に配置する。キーボードステムは、−６０°の疑似音源をシミュレートするように、右前方スピーカＬと右後方スピーカＬＲの間で分割することができる。
・コーラスを±９０°に配置する。コーラスステムは、±９０°の疑似音源をシミュレートするように、左前方及び右前方スピーカＬ、Ｒ、並びに左後方及び右後方スピーカＬＲ、ＲＲの間で分割することができる。
・パーカッションを±１１０°に配置する。パーカッションステムは、左後方及び右後方スピーカＬＲ、ＲＲの間で分割することができる。
・リードボーカルを−３ｄｂで０°に配置し、Ｌ／Ｒへの寄与を＋１．５ｄｂとする。通常、リードボーカルは、典型的なステレオミックスの「疑似センター」に提供される。リードボーカルをセンター、左及び右チャネルにわたって広げると、リードボーカリストの見かけの位置が保持されて、表現に豊かさ及び複雑さが加わる。
【手続補正４】
【補正対象書類名】明細書
【補正対象項目名】００６０
【補正方法】変更
【補正の内容】
【００６０】
８４５において、自動サラウンドミキシング処理８４０によって８２５からのステム及びメタデータを取得することができる。自動サラウンドミキシング処理８４０は、８２０におけるステレオミキシングと同じシステムを用いて同じ場所で行うことができる。この場合は、８４５において、自動ミキシング処理が、メモリから単純にメタデータ及びステムを読み出すことができる。自動サラウンドミキシング処理８４０は、ステレオミキシングから離れた１又はそれ以上の場所で行うこともできる。この場合は、８４５において、自動サラウンドミキシング処理８４０が、配信チャネル（図示せず）を介してステム及び関連するメタデータを受け取ることができる。配信チャネルは、無線放送、インターネット又はケーブルＴＶネットワークなどのネットワーク、或いは他の何らかの配信チャネルとすることができる。